(57)【要約】【課題】メカニカルキーを引き抜くのに応じてシャッター板が開放位置から閉鎖位置に自動的に復帰するようにしたシリンダ錠の保護装置において、必要なときにはシャッター板の閉鎖位置への自動的な移動が生じないようにする。【解決手段】カム手段６５が、シャッター板３４の閉鎖位置から開放位置への作動に応じて第１係合部材６３を、シャッター板３４に連動する連動部材６０に閉鎖位置側から係合させ、メカニカルキーの挿入に応じて第２係合部材６４を連動部材６０に閉鎖位置側から係合させ、オン位置への回動操作に応じて第１係合部材６３の連動部材６０への係合を解除させ、メカニカルキーが引き抜かれるのに応じて第２係合部材６４の連動部材６０への係合を解除させ、開放位置にある連動部材６０に係合する位置ならびにその係合を解除する位置間での移動操作を可能とした第３係合部材９０がケーシング２２に支承される。【選択図】        図５
2010101000.tif 000002
【特許請求の範囲】
【請求項１】
シリンダ錠（２０）が備えるインナシリンダ（２７）に設けられるキー孔（２８）に対応した挿入孔（２９）を有して前記シリンダ錠（２０）のシリンダボディ（２１）に固定されるケーシング（２２）と、前記挿入孔（２９）を閉鎖する閉鎖位置ならびに前記挿入孔（２９）を開放する開放位置間で前記キー孔（２８）の軸線に直交する平面に沿って作動することを可能として前記ケーシング（２２）に支承されるシャッター板（３４）と、施錠時には前記シャッター板（３４）を前記閉鎖位置で保持するとともに解錠時に前記シャッター板（３４）を前記閉鎖位置から前記開放位置に操作することを可能としたマグネット錠（３５）とを備え、メカニカルキー（３３）を前記キー孔（２８）から引き抜くのに応じて前記シャッター板（３４）が前記開放位置から前記閉鎖位置に自動的に復帰するようにしたシリンダ錠の保護装置において、前記シャッター板（３４）もしくは該シャッター板（３４）に連動して作動する連動部材（６０）および前記ケーシング（２２）間に設けられて前記シャッター板（３４）を前記閉鎖位置側に付勢する弾発手段（６１）と、前記シャッター板（３４）もしくは前記連動部材（６０）に前記シャッター板（３４）の前記閉鎖位置から前記開放位置への作動に応じて自動的に係合して前記シャッター板（３４）を開放位置に保持し得る第１および第２係合部材（６３，６４）と、前記開放位置にある前記シャッター板（３４）もしくは前記連動部材（６０）に係合する位置ならびにその係合を解除する位置間での移動操作を可能として前記ケーシング（２２）に支承される第３係合部材（９０）と、前記シャッター板（３４）の作動、前記キー孔（２８）に対する前記メカニカルキー（３３）の挿脱ならびに前記メカニカルキー（３３）による回動操作に応じて第１および第２係合部材（６３，６４）を作動せしめるカム手段（６５）とを含み、前記カム手段（６５）は、前記シャッター板（３４）の閉鎖位置から開放位置への作動に応じて第１係合部材（６３）を前記シャッター板（３４）もしくは前記連動部材（６０）に前記閉鎖位置側から係合させ、キー挿脱位置での前記キー孔（２８）への前記メカニカルキー（３３）の挿入に応じて第２係合部材（６４）を前記シャッター板（３４）もしくは前記連動部材（６０）に前記閉鎖位置側から係合させ、前記キー孔（２８）に挿入された前記メカニカルキー（３３）によるオン位置への回動操作に応じて第１係合部材（６３）の前記シャッター板（３４）もしくは前記連動部材（６０）への係合を解除させ、前記メカニカルキー（３３）が前記キー挿脱位置で前記キー孔（２８）から引き抜かれるのに応じて第２係合部材（６４）の前記シャッター板（３４）もしくは前記連動部材（６０）への係合を解除させることを特徴とするシリンダ錠の保護装置。
【発明の詳細な説明】
【技術分野】
【０００１】
本発明は、シリンダ錠が備えるインナシリンダに設けられるキー孔に対応した挿入孔を有して前記シリンダ錠のシリンダボディに固定されるケーシングと、前記挿入孔を閉鎖する閉鎖位置ならびに前記挿入孔を開放する開放位置間で前記キー孔の軸線に直交する平面に沿って作動することを可能として前記ケーシングに支承されるシャッター板と、施錠時には前記シャッター板を前記閉鎖位置で保持するとともに解錠時に前記シャッター板を前記閉鎖位置から前記開放位置に操作することを可能としたマグネット錠とを備え、メカニカルキーを前記キー孔から引き抜くのに応じて前記シャッター板が前記開放位置から前記閉鎖位置に自動的に復帰するようにしたシリンダ錠の保護装置に関する。
【背景技術】
【０００２】
キー孔を閉鎖するシャッター板をマグネット錠の解錠に応じて開放位置に作動せしめた後、キー孔に挿入したメカニカルキーを引き抜くのに応じてシャッター板が閉鎖位置に自動的に復帰するようにして、操作性を高め、閉め忘れがないようにしたシリンダ錠の保護装置が、たとえば特許文献１で既に知られている。
【特許文献１】特開２００５−０７６２０４号公報
【発明の開示】
【発明が解決しようとする課題】
【０００３】
ところが、上記特許文献１で開示されるものでは、キー孔からメカニカルキーを引く抜くのに応じてシャッター板が開放位置から閉鎖位置に必ず移動するので、たとえば自動二輪車用のシリンダ錠において自動二輪車の停車時にキー孔からメカニカルキーを引き抜くと、シャッター板が自動的に閉鎖位置に移動することになり、一時的に停車するときなどのシャッター板を閉じたくないときには不便である。
【０００４】
本発明は、かかる事情に鑑みてなされたものであり、キー孔からメカニカルキーを引き抜いたときにはシャッター板が自動的に閉鎖位置に移動するようにして操作性を高め、閉め忘れがないようにした上で、必要なときにはシャッター板の閉鎖位置への自動的な移動が生じないようにすることを可能としたシリンダ錠の保護装置を提供することを目的とする。
【課題を解決するための手段】
【０００５】
上記目的を達成するために、本発明は、シリンダ錠が備えるインナシリンダに設けられるキー孔に対応した挿入孔を有して前記シリンダ錠のシリンダボディに固定されるケーシングと、前記挿入孔を閉鎖する閉鎖位置ならびに前記挿入孔を開放する開放位置間で前記キー孔の軸線に直交する平面に沿って作動することを可能として前記ケーシングに支承されるシャッター板と、施錠時には前記シャッター板を前記閉鎖位置で保持するとともに解錠時に前記シャッター板を前記閉鎖位置から前記開放位置に操作することを可能としたマグネット錠とを備え、メカニカルキーを前記キー孔から引き抜くのに応じて前記シャッター板が前記開放位置から前記閉鎖位置に自動的に復帰するようにしたシリンダ錠の保護装置において、前記シャッター板もしくは該シャッター板に連動して作動する連動部材および前記ケーシング間に設けられて前記シャッター板を前記閉鎖位置側に付勢する弾発手段と、前記シャッター板もしくは前記連動部材に前記シャッター板の前記閉鎖位置から前記開放位置への作動に応じて自動的に係合して前記シャッター板を開放位置に保持し得る第１および第２係合部材と、前記開放位置にある前記シャッター板もしくは前記連動部材に係合する位置ならびにその係合を解除する位置間での移動操作を可能として前記ケーシングに支承される第３係合部材と、前記シャッター板の作動、前記キー孔に対する前記メカニカルキーの挿脱ならびに前記メカニカルキーによる回動操作に応じて第１および第２係合部材を作動せしめるカム手段とを含み、前記カム手段は、前記シャッター板の閉鎖位置から開放位置への作動に応じて第１係合部材を前記シャッター板もしくは前記連動部材に前記閉鎖位置側から係合させ、キー挿脱位置での前記キー孔への前記メカニカルキーの挿入に応じて第２係合部材を前記シャッター板もしくは前記連動部材に前記閉鎖位置側から係合させ、前記キー孔に挿入された前記メカニカルキーによるオン位置への回動操作に応じて第１係合部材の前記シャッター板もしくは前記連動部材への係合を解除させ、前記メカニカルキーが前記キー挿脱位置で前記キー孔から引き抜かれるのに応じて第２係合部材の前記シャッター板もしくは前記連動部材への係合を解除させることを特徴とする。
【０００６】
なお実施の形態の戻しばね６１が本発明の弾発手段に対応する。
【発明の効果】
【０００７】
本発明の上記構成によれば、マグネット錠を解錠してシャッター板を閉鎖位置から開放位置に作動せしめると、第１係合部材がシャッター板もしくは該シャッター板に連動する連動部材に閉鎖位置側から係合し、キー孔にメカニカルキーを挿入することで第２係合部材がシャッター板もしくは連動部材に閉鎖位置側から係合し、メカニカルキーによるオン位置への回動操作に応じて第１係合部材のシャッター板もしくは連動部材への係合が解除されるものの第２係合部材がシャッター板もしくは連動部材に係合したままであるので、メカニカルキーがキー孔に挿入されている限り、シャッター板は開放位置に保持される。またメカニカルキーをキー挿脱位置でキー孔から引き抜くと、第２係合部材のシャッター板もしくは連動部材への係合が解除されるので、シャッター板は弾発手段の弾発力によって開放位置から閉鎖位置に自動的に復帰することになる。すなわちメカニカルキーをキー挿脱位置で引き抜くのに応じてシャッター板が閉鎖位置に自動的に復帰するので、操作性を高め、閉め忘れがないようにして防盗性を高めることができる。一方、ケーシングには、開放位置にあるシャッター板もしくは連動部材に係合する位置ならびにその係合を解除する位置間での移動操作を可能として第３係合部材が支承されており、この第３係合部材を開放位置にあるシャッター板もしくは連動部材に係合するように操作すると、メカニカルキーをキー挿脱位置で引き抜いても、シャッター板は開放位置に止まったままであり、閉鎖位置に自動的に復帰することはなく、必要なときにはシャッター板の閉鎖位置への自動的な移動が生じないようにして利便性を高めることができる。
【発明を実施するための最良の形態】
【０００８】
以下、添付の図面に基づいて本発明の実施の形態について説明する。
【０００９】
図１〜図１３は本発明の実施の形態を示すものであり、図１はロック位置にあるキー孔がシャッター板で閉鎖された状態でのシリンダ錠の保護装置の正面図、図２は図１の２−２線断面図、図３はシリンダ錠の保護装置の分解斜視図、図４はメカニカルキーおよびマグネットキの一部切欠き側面図、図５はシャッター板が閉鎖位置に在る状態での図２の５−５線断面図、図６はシャッター板が開放位置にある状態での図２の６−６線断面図、図７はシャッター板が開放位置にあるとともにキー孔がロック位置にある状態での図２の７−７線断面図、図８はロック位置にあるキー孔にメカニカルキーを挿入した状態での図７に対応した断面図、図９はメカニカルキーでオフ位置まで回動操作したときの図７に対応した断面図、図１０はメカニカルキーでオン位置まで回動操作したときの図７に対応した断面図、図１１はオフ位置でメカニカルキーを抜き出した状態の図７に対応した断面図、図１２は図１の１２−１２線断面図、図１３は第３係合部材を連動部材に係合させた状態でメカニカルキーを抜き出したときの図６に対応した断面図である。
【００１０】
先ず図１および図２において、車両たとえば自動二輪車用のシリンダ錠２０のシリンダボディ２１は車体フレームのヘッドパイプ（図示せず）に設けられており、このシリンダボディ２１の前端部はケーシング２２で覆われる。該ケーシング２２は、シリンダボディ２１の前端部に取付けられる非磁性材料製のケース部材２３と、該ケース部材２３を側方から覆う側壁２４ａを外周に有してケース部材２３をシリンダボディ２１と反対側から覆う非磁性材料製のカバー部材２４と、前記ケース部材２３を前記カバー部材２４との間に挟む平板状の背板２５とを備え、ケース部材２３、カバー部材２４および背板２５が、複数たとえば２つのねじ部材２６，２６で締結されることによりケーシング２２が構成され、ケーシング２２は前記シリンダボディ２１に固定される。
【００１１】
前記シリンダ錠２０は、前記シリンダボディ２１に回動可能に挿入されるインナシリンダ２７を有しており、このインナシリンダ２７には、その回動軸線と直交する方向に長い矩形状のキー孔２８が設けられ、該キー孔２８は、シリンダ錠２０の前端中央部に開口される。
【００１２】
図３を併せて参照して、前記ケーシング２２には、前記キー孔２８に対応した挿入孔２９が設けられる。この挿入孔２９は、ケース部材２３およびカバー部材２４にそれぞれ同軸に設けられた円形の透孔３０，３１で構成されており、カバー部材２４の透孔３１の外端部はメカニカルキー３３（図４参照）の挿入を容易とするためにテーパ状に形成される。また背板２５には、ケース部材２３およびカバー部材２４の透孔３０，３１よりも大径である開口部３２が前記透孔３０，３１に対応して設けられる。
【００１３】
前記ケーシング２２内の前記ケース部材２３および前記カバー部材２４間には、前記挿入孔２９およびキー孔２８を閉鎖する閉鎖位置ならびに前記挿入孔２９およびキー孔２８を開放する開放位置間で、前記キー孔２８の軸線に直交する平面に沿うように作動することを可能としたシャッター板３４が収納される。
【００１４】
このシャッター板３４の閉鎖位置から開放位置までの作動は、ケーシング２２に配設されるマグネット錠３５が備える嵌合凹部３６に、マグネットキー３７を嵌合することで許容されるものであり、マグネット錠３５は、前記シャッター板３４とは別体に形成されるロータ３８を備え、該ロータ３８に前記嵌合凹部３６が形成される。
【００１５】
ケーシング２２のケース部材２３には、前記挿入孔２９から離隔した位置でカバー部材２４側に突出した横断面円形の支持突部３９が一体に突設されており、該支持突部３９に対応する部分でカバー部材２４には円形の開口部４０が設けられる。
【００１６】
図５を併せて参照して、前記ロータ３８は、前記支持突部３９の先端に対向する対向壁部３８ａを軸方向中間部に有する略円筒状のロータ主部３８ｂと、該ロータ主部３８ｂから外側方に延びる連結腕部３８ｃとを一体に有して非磁性材料により形成されており、前記連結腕部３８ｃの先端部には、長孔状の連結孔４１が設けられる。前記ロータ主部３８ｂの内端側には前記支持突部３９が嵌合されるものであり、該ロータ主部３８ｂは、Ｏリング４５を支持突部３９の基部との間に介在させて該支持突部３９で回動可能に支承される。しかもロータ主部３８ｂの外端は前記開口部４０に臨むように配置され、ロータ主部３８ｂの外端部が前記嵌合凹部３６を形成する。
【００１７】
前記ロータ３８の前記嵌合凹部３６は、変則多角形の横断面形状を有するように形成され、また嵌合凹部３６の略中心部には突部４２が突設される。而して嵌合凹部３６の横断面形状に対応した横断面形状を有するとともに前記突部４２を嵌合せしめる凹部４３を有するマグネットキー３７のみを嵌合凹部３６に嵌合可能であり、このマグネットキー３７は、図４で示すように、前記キー孔２８に挿入可能な正規のメカニカルキー３３に設けられた把持部４４に付設される。
【００１８】
前記支持突部３９の先端には、たとえば正方形の各角部に対応した複数個たとえば４個の摺動凹部４７…が、ロータ３８の対向壁３８ａ側に開口するようにして設けられており、各摺動凹部４７…のうち選択された３つの摺動凹部４７…には、前記対向壁部３８ａ側の磁極配置が適宜の組み合わせとなるようにして棒状の永久磁石４８…がそれぞれ摺動可能に嵌合され、３つの前記摺動凹部４７…の底部および各永久磁石４８…間には、各永久磁石４８…を支持突部３９の先端から突出させる側にばね付勢するばね４９…がそれぞれ介設される。
【００１９】
ロータ３８の対向壁部３８ａには、４つの係合凹部５０…が設けられており、それらの係合凹部５０…のうちの３つに前記各永久磁石４８…の一部がそれぞれ係合している状態では、ロータ３８の回動作動が阻止されることになる。
【００２０】
一方、マグネットキー３７には、前記ロータ３８の対向壁部３８ａに設けられる４つの係合凹部５０…に対応した位置に配置される複数個たとえば４個の収容凹部５１…がロータ３８の対向壁部３８ａ側に開口するようにして設けられ、各収容凹部５１…のうちの３つには棒状の永久磁石５２…がそれぞれ収容される。また各収容凹部５１…の開口端は、マグネットキー３７に固定される非磁性材料製の閉塞板５３で閉じられる。
【００２１】
マグネットキー３７に配設される各永久磁石５２…は、支持突部３９側の各永久磁石４８…の前記対向壁部３８ａ側の磁極と同一の磁極が対向壁部３８ａ側に配置されるようにして収容凹部５１…に収容されるものであり、正規のマグネットキー３７が嵌合凹部３６に嵌合されたときには、同一磁極の反発力によって、支持突部３９側の永久磁石４８…はばね４９…のばね力に抗して係合凹部５２…から離脱するように摺動凹部４７…に押し込まれ、これによりロータ３８の回動作動が許容されることになる。
【００２２】
しかも図３で示すように、ケース部材２３およびロータ３８間には、ロータ３８側の周方向に間隔をあけた２箇所に設けられるクリック用凹部（図示せず）に択一的に弾発係合するクリックボール５４と、該クリックボール５４を前記ロータ３８側に付勢するばね力を発揮してクリックボール５４および前記ケース部材２３間に縮設されるクリックばね５５とを有するクリック機構５６が設けられており、マグネット錠３５の解錠時に前記ロータ３８の回動操作時にクリック機構５６によってクリック感を得ることができる。
【００２３】
シャッター板３４は、前記挿入孔２９を閉鎖し得る平板状のシャッター主部３４ａと、該シャッター主部３４ａから前記ロータ３８の連結腕部３８ｃ側に延びる連結腕部３４ｂと、該連結腕部３４ｂの前記連結腕部３８ｃ側端部に連設されて前記挿入孔２９および前記開口部４０と反対側に突出する連結突部３４ｃとを一体に有するものであり、連結腕部３４ｂには前記ロータ３８の連結腕部３８ｃの連結孔４１に挿入される連結ピン５７が一体に突設される。
【００２４】
前記シャッター板３４は、図５で示すように前記挿入孔２９を閉鎖する閉鎖位置と、図６で示すように前記挿入孔２９を開放する開放位置との間で、前記キー孔２８の軸線に直交する平面に沿うようにして矢印５８で示す作動方向に作動可能であり、その作動方向５８に沿う方向に長く延びるガイド溝５９が前記ケース部材２３に設けられる。このガイド溝５９には、前記シャッター板３４に連動して作動する連動部材６０が前記作動方向にスライドすることを可能として嵌合される。
【００２５】
前記連動部材６０には、前記シャッター板３４の連結突部３４ｃに開放位置側から当接、係合する係合突部６０ａが突設されるとともに、前記ガイド溝５９に収容される弾発手段としての戻しばね６１をケーシング２２におけるケース部材２３との間に介装せしめるばね受け部６０ｂが突設されており、連動部材６０は、戻しばね６１の弾発付勢力によってシャッター板３４を閉鎖位置側に付勢するようにして、該シャッター板６０に開放位置側から当接、係合されることになる。
【００２６】
ところでシリンダ錠２０のインナシリンダ２７は、そのキー孔２８に挿入されたメカニカルキー３３の操作によって、ロック（ＬＯＣＫ）位置からオフ（ＯＦＦ）位置を経てオン（ＯＮ）位置に回動することが可能であり、オン位置で図示しないエンジンに点火することができる。ケーシング２２のカバー部材２４において、挿入孔２９すなわち透孔３１の周囲には、図１で示すように、ＬＯＣＫ、ＯＦＦおよびＯＮの各位置が表示されており、前記インナシリンダ２７は、横断面矩形状であるキー孔２８の横断面長手方向を前記ＬＯＣＫ、ＯＦＦおよびＯＮの各位置に合わせることによって、ロック位置、オフ位置およびオン位置に位置することになる。而してロック位置は、図示しないステアリングハンドルをロック状態とするものであり、シリンダ錠２０には、ロック位置およびオフ位置間でのインナシリンダ２７の回動にあたってはメカニカルキー３３のプッシュ操作を必要とする機構（図示せず）が設けられる。またインナシリンダ２７がロック位置にあるとき、インナシリンダ２７がオフ位置にあるときのいずれの状態でも、メカニカルキー３３のキー孔２８に対する挿脱操作が可能である。
【００２７】
前記ケーシング２２内には、前記戻しばね６１と、開放位置にある前記シャッター板３４に係合して該シャッター板３４を開放位置に保持し得る第１および第２係合部材６３，６４と、第１および第２係合部材６３，６４を作動せしめるカム手段６５とが、前記キー孔２８の軸線と直交する平面に沿って作動するようにして収容される。
【００２８】
前記カム手段６５は、ケース部材２３で回動可能に保持される円板状のカムプレート６６に、該カムプレート６６の半径方向に摺動することを可能としてカムプレート６６に嵌合されるプッシュプレート６７とで構成され、前記カムプレート６６はシリンダ錠２０のインナシリンダ２７に相対回動不能に連結される。
【００２９】
前記ケース部材２３のシリンダ錠２０側の面には、前記挿入孔２９と同軸である円形の支持凹部６８が設けられており、前記カムプレート６６は該支持凹部６８に回動可能に嵌合される。一方、ケース部材２３に締結される前記背板２５には、前記支持凹部６８に嵌合された前記カムプレート６６の一部を臨ませる円形の開口部３２が前記挿入孔２９と同軸に設けられており、前記背板２５は、前記カムプレート６６の外周部を前記ケース部材２３との間に挟むようにして前記ケース部材２３に締結され、カムプレート６６に一体に設けられて前記開口部３２を貫通する複数たとえば２つの連結軸部６６ａ，６６ｂがシリンダ錠２０のインナシリンダ２７に嵌合することにより、カムプレート６６がインナシリンダ２７に相対回動不能に連結される。
【００３０】
図７を併せて参照して、前記カムプレート６６の中央部には、前記シリンダ錠２０のキー孔２８に対応して横断面矩形状に形成される透孔７０が、前記挿入孔２９および前記キー孔２８間に介在するようにして設けられる。また前記カムプレート６６の前記ケース部材２３側に臨む面には、内端を前記透孔７０に開口させるとともに外端をカムプレート６６の外周に開口させた嵌合孔７１が、カムプレート６６の半径方向に延びるようにして設けられており、前記プッシュプレート６７は該嵌合孔７１に摺動可能に嵌合される。
【００３１】
前記プッシュプレート６７の内端部は前記透孔７０を塞ぎ得るように形成され、前記プッシュプレート６７の外端は前記カムプレート６６の外周と同一曲率の円弧状に形成される。而して前記プッシュプレート６７の内端部が前記透孔７０を塞ぐ位置にあるときにはプッシュプレート６７の外端は前記カムプレート６６の外周よりも内方位置に在り、前記カムプレート６２の内端部が前記透孔７０を開放する位置にあるときには該プッシュプレート６７の外端はカムプレート６６の外周に面一に連なる位置にある。しかもプッシュプレート６７の両側およびカムプレート６６間には、前記透孔７０を塞ぐ側に前記プッシュプレート６７を付勢するばね７２，７２が設けられる。
【００３２】
前記カムプレート６６の前記挿入孔２９側に臨む面において前記透孔７０に関して前記プッシュプレート６７と反対側には、挿入孔２９に挿入されたメカニカルキー３３の先端部を透孔７０側に案内する円弧状のガイド面７３が設けられ、前記プッシュプレート６７の内端部の幅方向中央部には、前記ガイド面７３で案内された前記メカニカルキー３３の先端部を当接させる受圧面７４が設けられる。この受圧面７４は、前記キー孔２８に挿入すべく挿入孔２９に押し込んだ前記メカニカルキー３３の先端部が前記受圧面７４に当接することにより、前記透孔７０を開放すべくカムプレート６６の半径方向外方に向けての力が前記プッシュプレート６７に作用するように形成されており、挿入孔２９に挿入されて前記受圧面７４に当接したメカニカルキー３３は、プッシュプレート６７をカムプレート６６の半径方向外方に押し退けるようにして前記透孔７０からキー孔２８に挿入されることになる。
【００３３】
また前記カムプレート６６の外周には、第１凹部７５および第２凹部７６が周方向に間隔をあけて設けられ、第１凹部７５は、前記カムプレート６６の軸方向に沿う厚さのうち背板２５側の略半部に形成される。また第２凹部７６は、前記プッシュプレート６７の外端を臨ませる部分でカムプレート６６の外周に設けられるものであり、カムプレート６６の軸方向厚みの全体にわたって形成される。
【００３４】
第１係合部材６３は、ケース部材２３側に嵌合して揺動可能に支持される略円形の枢支部６３ａと、該枢支部６３ａからカムプレート６６側に延びる嵌合部６３ｂと、前記枢支部６３ａから連動部材６０側に延びる係合部６３ｃとを一体に有して、ケーシング２２のケース部材２３および背板２５間に配置される。
【００３５】
前記嵌合部６３ｂの先端部はカムプレート６６の外周に当接可能であり、前記ケース部材２３には、前記カムプレート６６の外周の一部を第１係合部材６３側に臨ませるための切欠き７７が前記支持凹部６８の側壁の一部を切欠くようにして設けられる。而してカムプレート６６がシリンダ錠２０のインナシリンダ２７とともにロック位置にあるときには、前記嵌合部６３ｂの先端部はカムプレート６６の第１凹部７５に嵌合可能であり、またカムプレート６６が前記インナシリンダ２７とともにオフ位置およびオン位置にあるときには、前記嵌合部６３ｂの先端部はカムプレート６６の外周に摺接している。しかも第１凹部７５がカムプレート６６の軸方向に沿う厚さのうち略半部に形成されるものであるので、前記嵌合部６３ｂもカムプレート６６の軸方向に沿う厚さのうち略半部の厚さを有するように形成される。
【００３６】
またケース部材２３には、前記連動部材６０の一部を第１係合部材６３側に臨ませる窓７８が、前記ガイド溝５９の側壁の一部を切欠くようにして設けられており、前記窓７８から突出した前記係合部６３ｃの先端部を、シャッター板３４が開放位置にあるときに閉鎖位置側から係合させる第１係止部７９が前記連動部材６０に設けられる。
【００３７】
第１係合部材６３およびケース部材２３間には、コイル状のねじりばね８０が縮設されており、第１係合部材６３はねじりばね８０のばね力によって、嵌合部６３ｂをカムプレート６６の外周に当接させるとともに係合部６３ｃを第１係止部７９に当接させる側に付勢される。
【００３８】
しかも第１係合部材６３は、その嵌合部６３ｂがカムプレート６６の第１凹部７５に嵌合した状態で前記連動部材６０の第１係止部７９に係合し得るものであり、嵌合部６３ｂが第１凹部７５以外の個所でカムプレート６６の外周に当接する状態では、係合部６３ｃの先端部は窓７８に臨む位置にあり、第１係止部７９に係合部６３ｃの先端部が係合することはない。
【００３９】
また第１凹部７５は、第１凹部７５に前記嵌合部６３ｂが嵌合している状態で、カムプレート６６がインナシリンダ２７とともにロック位置からオン位置側に向けて回動したときには、第１係合部材６３をねじりばね８０のばね力に抗して図７の時計方向に回動して嵌合部６３ｂをカムプレート６６の外周に乗り上げさせるとともに係合部６３ｃの先端部をガイド溝５９から窓７８側に後退させるように形成されている。
【００４０】
ところでシャッター板３４が図５で示すように閉鎖位置にある状態では、第１係合部材６３の嵌合部６３ｂは第１凹部７５に嵌合し、係合部６３ｃは、連動部材６０の側面に近接もしくは当接した状態にある。而して前記連動部材６０における係合突部６０ａの第１係合部材６３側の側面のうち前記係合部６３ｃが近接もしくは当接した箇所から第１係止部７９までの間には、シャッター板３４すなわち連動部材６０が閉鎖位置から開放位置に移動すべく図６の上方に移動する際には、係合部６３ｃに当接して第１係合部材６３を図６の時計方向に一旦回動させることで嵌合部６３ｂを第１凹部７５から一時的に離脱させるための傾斜面８１が形成され、係合部６３ｃが前記傾斜面８１を通過した後に、第１係合部材６３は嵌合部６３ｂを第１凹部７５に嵌合するように回動し、その状態で係合部６３ｃが第１係止部７９に当接、係合することになる。
【００４１】
第２係合部材６４は、ケース部材２３側に嵌合して揺動可能に支持される略円形の枢支部６４ａと、該枢支部６４ａからカムプレート６６側に延びる嵌合部６４ｂと、前記枢支部６４ａからガイド溝５９側に延びる係合部６４ｃと、前記枢支部６４ａから前記嵌合部６４ｂ戸反対側に延びるばね受け部６４ｄとを一体に有して、ケーシング２２のケース部材２３および背板２５間に配置される。
【００４２】
前記嵌合部６４ｂの先端部はカムプレート６６の外周に当接可能であり、前記ケース部材２３には、前記カムプレート６６の外周の一部を第２係合部材６４側に臨ませるための切欠き８２が前記支持凹部６８の側壁の一部を切欠くようにして設けられる。而してカムプレート６６がシリンダ錠２０のインナシリンダ２７とともにロック位置にあるときには、前記嵌合部６４ｂの先端部はカムプレート６６の第２凹部７６に嵌合可能である。しかも第２凹部７６は、前記カムプレート６６の軸方向厚みの全体にわたって形成されるものであり、前記嵌合部６４ｂは、第２凹部７６に嵌合すべくカムプレート６６の軸方向厚み以上の厚みを有するように形成され、嵌合部６４ｂは第１凹部７５に嵌合することはない。
【００４３】
またケース部材２３には、シャッター板３４とともにスライド作動する前記連動部材６０の一部を第２係合部材６４側に臨ませる窓８３が、前記ガイド溝５９の側壁の一部を切欠くようにして設けられており、前記窓８３から突出した前記係合部６４ｃの先端部を、シャッター板３４が開放位置にあるときに前記連動部材６０に閉鎖位置側から係合させる段差状の第２係止部８４が前記連動部材６０に設けられる。
【００４４】
第２係合部材６４およびケース部材２３間には、コイルばね８５が設けられており、第２係合部材６４はコイルばね８５のばね力によって、嵌合部６４ｂをカムプレート６６の外周に当接させる側に付勢される。
【００４５】
しかも第２係合部材６４の嵌合部６４ｂの先端部がカムプレート６６の第２凹部７６に嵌合した状態では、前記嵌合部６４ｂの先端部は、カムプレート６６の透孔７０を閉鎖した状態にあるプッシュプレート６７の外端部に当接するものであり、前記透孔７０にメカニカルキー３３が挿入されることでプッシュプレート６７がカムプレート６６の半径方向外方に押し出されたとき、第２係合部材６４は、図８で示すように、コイルばね８５のばね力に抗して図８の時計方向に回動し、それにより係合部６４ｃの先端部が連動部材６０の第２係止部８４に係合するように窓８３からガイド溝５９内に突入することになる。
【００４６】
ここでシリンダ錠２０のインナシリンダ２７がロック位置にあってシャッター板３４が閉鎖位置にある状態から、マグネット錠３５を解錠してシャッター板３４を開放位置に作動せしめ、さらにメカニカルキー３３をキー孔２８に差し込んで回動した後、メカニカルキー３３を引き抜くまでの間の各部品の作動状態を説明すると、マグネット錠３５を解錠した後にシャッター板３４を閉鎖位置から開放位置に作動せしめる途中の状態では、シャッター板３４におけるガイド部３４ｃの移動によって連動部材６０が開放位置側に移動する際に、該連動部材６０の傾斜面８１が第１係合部材６３の係合部６３ｃに閉鎖位置側当接することで、第１係合部材６３はその嵌合部６３ｂをカムプレート６６の第１凹部７５から離脱せしめるように、ねじりばね８０のばね力に抗して回動する。
【００４７】
前傾斜面８１が前記係合部６３ｃを乗り越えて前記シャッター板３４が開放位置に達すると、図６および図７で示すように、挿入孔２９が開放されるとともに、ねじりばね８０で回動付勢されている第１係合部材６３の係合部６３ｃが連動部材６０の第１係止部７９に閉鎖位置側から係合し、戻しばね６１のばね力が作用しているにもかかわらず、シャッター板３４が開放位置に保持される。しかもケース部材２３には、板ばね８６の一端部を嵌合、保持する嵌合突部８７が突設されており、この板ばね８６の他端部は、開放位置にあるシャッター板３４におけるシャッター主部３４ａの前記連動部材６０とは反対側の側面に当接し、該シャッター板３４を連動部材６０側に押しつけることでシャッター板３４の開放位置でのがたつきが抑制される。
【００４８】
次いでメカニカルキー３３を挿入孔２９に挿入し、図８で示すように、カム手段６５における透孔７０にメカニカルキー３３を差し込むと、カム手段６５におけるプッシュプレート６７がカムプレート６６の半径方向外方に押し出され、第２凹部７６に嵌合部６４ｂを嵌合せしめていた第２係合部材６４が図８の時計方向に回動し、嵌合部６４ｂが第２凹部７６から離脱するとともに係合部６４ｃが連動部材６０の第２係止部８４に閉鎖位置側から係合し、第２係合部材６４によってもシャッター板３４が開放位置に保持されることになる。
【００４９】
さらに図９で示すように、キー孔２８に挿入したメカニカルキー３３をプッシュしつつオフ位置まで回動操作すると、インナシリンダ２７とともにオフ位置まで回動するカムプレート６６によって第１係合部材６３が図９の時計方向に回動し、図９で示すように、嵌合部６３ｂがカムプレート６６の外周に乗り上げるとともに第１係止部７９に当接、係合していた係合部６３ｃの先端部が戻しばね６１のばね力に抗して連動部材６０を押し上げて窓７８側に退避する。而して係合部６３ｃの先端部が窓７８側に退避して第１係止部７９との係合を解除することで、連動部材６０は第２係止部８４に第２係合部材６４の係合部６４ｃを係合させるまで戻ることになり、この状態では、第２係合部材６４によってシャッター板３４が開放位置に保持されることになる。
【００５０】
キー孔２８に挿入したメカニカルキー３３によってインナシリンダ２７とともにカムプレート６６をオン位置まで回動すると、図１０で示すように、第１係合部材６３の嵌合部６３ｂはカムプレート６６の外周に当接した状態となり、また第２係合部材６４は、その係合部６４ｃを第２係止部８４に係合したままで嵌合部６４ｂをカムプレート６６の外周に当接させた状態となる。
【００５１】
キー孔２８に挿入したメカニカルキー３３によってインナシリンダ２７とともにカムプレート６６をロック位置まで戻して、メカニカルキー３３を抜き出すと、図５で示した状態に戻るものであり、第２係合部材６４の嵌合部６４ｂに対応する位置に第２凹部７６が対応することになり、第２係合部材６４はコイルばね８５のばね力によってプッシュプレート６７をカムプレート６６の半径方向内方に押圧しながら第２凹部７６に嵌合することになり、第２係合部材６４の係合部６４ｃの第２係止部８４との係合が解除され、シャッター板３４は戻しばね６１のばね力によって閉鎖位置まで自動的に戻ることになる。この際、第１係合部材６３は、その嵌合部６３ｂを第１凹部７５に嵌合せしめる位置にあり、シャッター板３４および連動部材６０が閉鎖位置に戻るのに応じて、ねじりばね８０のばね力によって嵌合部６３ｂを第１凹部７５に嵌合せしめ、係合部６３ｃを前記連動部材６０の側面に当接させるように回動することになる。
【００５２】
このようにしてカム手段６５は、前記シャッター板３４の閉鎖位置から開放位置への作動に応じて第１係合部材６３を連動部材６０に閉鎖位置側から係合させ、キー孔２８へのメカニカルキー３３の挿入に応じて第２係合部材６４を連動部材６０に閉鎖位置側から係合させ、キー孔２８に挿入されたメカニカルキー３３によるオン位置への回動操作に応じて第１係合部材６３の連動部材６０への係合を解除させ、ロック位置でメカニカルキー３３がキー孔２８から引き抜かれるのに応じて第２係合部材６４の連動部材６０への係合を解除させることになる。
【００５３】
またキー孔２８に挿入したメカニカルキー３３によってインナシリンダ２７とともにカムプレート６６をオフ位置まで戻して、メカニカルキー３３を抜き出したときには、第２係合部材６４が連動部材６０に係合しているので、図１１で示すように、シャッター板３４が閉鎖位置に自動的に戻ることはなく、シャッター板３４の開放位置が維持されるのであるが、この際、マグネット錠３６のマグネットキー３７でシャッター板３４を閉鎖位置に回動すると、戻しばね６１で付勢された連動部材６０は、シャッター板３４を閉鎖位置側に付勢するようにしてシャッター板３４に開放位置側から当接、係合するものであるので、シャッター板３４は第２係合部材６４が係合している連動部材６０を置き去りにしたままで、閉鎖位置に戻ることになる。
【００５４】
前記シャッター板３４が開放位置にある状態で前記連動部材６０に係合することでシャッター板３４の開放位置を保持する第３係合部材９０が、前記連動部材６０に係合する位置ならびにその係合を解除する位置間での移動操作を可能としてケーシング２２に支承される。
【００５５】
この第３係合部材９０は、キー孔２８に挿入されたメカニカルキー３３の操作によって、シリンダ錠２０のインナシリンダ２７がロック位置、オフ位置およびオン位置のいずれの位置に回動された状態であっても、前記シャッター板３４が開放位置にある状態での連動部材６０に係合し得るものであり、前記シャッター板３４および前記連動部材６０の作動方向５８と直交する方向に長く延びるように形成され、その長手方向に移動することを可能として前記ケーシング２２に支承される。
【００５６】
ケーシング２２のケース部材２３には、前記第２係合部材６４とは反対側で前記ガイド溝５９に一端部を連ならせたガイド溝９１が、前記ガイド溝５９と直交する方向に延びるようにして設けられる。一方、連動部材６０には、該連動部材６０が開放位置に移動したときに前記ガイド溝９１の一端に対向する係止凹部９２が設けられており、第３係合部材９０は、その内端部を前記係止凹部９２に係合させることを可能として前記ガイド溝９１に摺動可能に嵌合され、第３係合部材９０の外端部は、図１２で示すように、ケーシング２２におけるカバー部材２４の側壁２４ａに設けられた開口部８９から外側方に突出する。
【００５７】
ケース部材２３および第３係合部材９０間には、第３係合部材９０の長手方向に間隔をあけた２箇所に設けられるクリック用凹部９３，９４に択一的に弾発係合するクリックボール９５と、該クリックボール９５を第３係合部材９０側に付勢するばね力を発揮してクリックボール９５および前記ケース部材２３間に縮設されるクリックばね９６とを有するクリック機構９７が設けられており、連動部材６０に係合する位置ならびにその係合を解除する位置間で第３係合部材９０を摺動操作するときに、クリック機構９７によってクリック感を得ることができる。
【００５８】
また前記連動部材６０の開放位置側端部において前記ガイド溝９１側に臨む部分には、傾斜面６０ｃが形成されており、前記前記第３係合部材９０の内端部の前記閉鎖位置側に臨む部分には、前記傾斜面６０ｃに対応して傾斜した傾斜面９０ａが形成される。而してシャッター板３４が閉鎖位置にある状態で第３係合部材９０を誤って操作して第３係合部材９０の内端部がガイド溝５９内に突出した状態となったとしても、シャッター板３４および連動部材６０を閉鎖位置から開放位置に作動せしめたときに、連動部材６０の前記傾斜面６０ｃが第３係合部材９０の前記傾斜面９０ａに当接することで、第３係合部材９０は外方に押し出されることになり、シャッター板３４および連動部材６０を閉鎖位置から開放位置に作動せしめることができる。
【００５９】
また前記第３係合部材９０の外端部には操作部９０ｂが一体に連設されており、その操作部９０ｂを掴んで第３係合部材９０を操作することができる。而して操作部９０ｂは、第３係合部材９０の一部を、ケーシング２２の前方側もしくは後方側に向けて直角に折り曲げ成形することによって形成されるものであり、掴み易く、操作し易い。
【００６０】
第３係合部材９０においてケーシング２２のカバー部材２４に対向する面には、図１２で示すように、カバー部材２４の外周部に設けられた側壁２４ａの内面に対向する段部９０ｃが形成されており、第３係合部材９０のケーシング２２からの離脱は前記段部９０ｃが側壁２４ａに当接することによって阻止される。
【００６１】
次にこの実施の形態の作用について説明すると、マグネット錠３５を解錠してシャッター板３４を閉鎖位置から開放位置に作動せしめると、シャッター板３４とともに作動する連動部材６０に第１係合部材６３が閉鎖位置側から係合し、キー孔２８にメカニカルキー３３を挿入することで第２係合部材６４が連動部材６０に閉鎖位置側から係合し、メカニカルキー３３によるオン位置への回動操作に応じて第１係合部材６３の連動部材６０への係合が解除されるものの第２係合部材６４が連動部材６０に係合したままであるので、メカニカルキー３３がキー孔２８に挿入されている限り、シャッター板３４は開放位置に保持される。
【００６２】
またメカニカルキー３３をロック位置でキー孔２８から引き抜くと、第２係合部材６４の連動部材６０への係合が解除されるので、シャッター板３４は戻しばね６１の弾発力によって開放位置から閉鎖位置に自動的に復帰することになる。すなわち長時間駐車時にメカニカルキー３３をロック位置で引き抜くのに応じてシャッター板３４が閉鎖位置に自動的に復帰するので、操作性を高め、閉め忘れがないようにして防盗性を高めることができる。一方、短時間駐車するときのように、キー孔２８に挿入したメカニカルキー３３をオフ位置で引き抜いたときには、連動部材６０への第２係合部材６４の係合状態は維持されたままであり、オフ位置でシャッター板３４が自動的に閉鎖位置に戻ることはないので、短時間駐車時のようにシャッター板３４を閉める必要性が低いときにはシャッター板３４を閉めないようにして操作性を高めることができる。
【００６３】
しかも第１および第２係合部材６３，６４と、第１および第２係合部材６３，６４を作動せしめるカム手段６５と、シャッター板３４を閉鎖位置側に付勢する戻しばね６１とが、キー孔２８の軸線に直交する平面に沿って作動するようにしてケーシング２２に収容されるので、キー孔２８の軸線に沿う方向でケーシング２２をコンパクトに構成することができ、それに応じてメカニカルキー３３の長さも短くすることができる。
【００６４】
さらにケーシング２２には、開放位置にある連動部材６０の係止凹部９２に係合する位置ならびにその係合を解除する位置間での移動操作を可能として第３係合部材９０が支承されており、この第３係合部材９０を、図１３で示すように、開放位置にある連動部材６０の係止凹部９２に係合するように操作すると、メカニカルキー３３をロック位置で引き抜いても、シャッター板３４は開放位置に止まったままであり、閉鎖位置に自動的に復帰することはなく、必要なときにはシャッター板３４の閉鎖位置への自動的な移動が生じないようにして利便性を高めることができる。
【００６５】
本発明の他の実施の形態として、上記実施の形態で用いた連動部材６０を省略し、シャッター板３４に第１および第２係合部材６３，６４を直接、係合するように構成することも可能である。
【００６６】
またオフ位置でのメカニカルキー３３の引き抜きに応じて第１および第２係合部材のシャッター板もしくは連動部材への係合を解除するようにカム手段を構成したものにも本発明を適用可能である。
【００６７】
以上、本発明の実施例を説明したが、本発明は上記実施例に限定されるものではなく、特許請求の範囲に記載された本発明を逸脱することなく種々の設計変更を行うことが可能である。
【図面の簡単な説明】
【００６８】
【図１】ロック位置にあるキー孔がシャッター板で閉鎖された状態でのシリンダ錠の保護装置の正面図である。
【図２】図１の２−２線断面図である。
【図３】シリンダ錠の保護装置の分解斜視図である。
【図４】メカニカルキーおよびマグネットキの一部切欠き側面図である。
【図５】シャッター板が閉鎖位置に在る状態での図２の５−５線断面図である。
【図６】シャッター板が開放位置にある状態での図２の６−６線断面図である。
【図７】シャッター板が開放位置にあるとともにキー孔がロック位置にある状態での図２の７−７線断面図である。
【図８】ロック位置にあるキー孔にメカニカルキーを挿入した状態での図７に対応した断面図である。
【図９】メカニカルキーでオフ位置まで回動操作したときの図７に対応した断面図である。
【図１０】はメカニカルキーでオン位置まで回動操作したときの図７に対応した断面図である。
【図１１】オフ位置でメカニカルキーを抜き出した状態の図７に対応した断面図である。
【図１２】図１の１２−１２線断面図である。
【図１３】第３係合部材を連動部材に係合させた状態でメカニカルキーを抜き出したときの図６に対応した断面図である。
【符号の説明】
【００６９】
２０・・・シリンダ錠
２１・・・シリンダボディ
２２・・・ケーシング
２７・・・インナシリンダ
２８・・・キー孔
２９・・・挿入孔
３３・・・メカニカルキー
３４・・・シャッター板
３５・・・マグネット錠
６０・・・連動部材
６１・・・弾発手段である戻しばね
６３・・・第１係合部材
６４・・・第２係合部材
６５・・・カム手段
９０・・・第３係合部材
【図１】
2010101000.tif 000003
【図２】
2010101000.tif 000004
【図３】
2010101000.tif 000005
【図４】
2010101000.tif 000006
【図５】
2010101000.tif 000007
【図６】
2010101000.tif 000008
【図７】
2010101000.tif 000009
【図８】
2010101000.tif 000010
【図９】
2010101000.tif 000011
【図１０】
2010101000.tif 000012
【図１１】
2010101000.tif 000013
【図１２】
2010101000.tif 000014
【図１３】
2010101000.tif 000015